(57)【要約】【課題】プラズマディスプレイ装置の付属品を安価にかつ容易に梱包できるようにすることを目的とする。【解決手段】プラズマディスプレイ装置２５を立てた状態で保持する底箱２０とこの底箱２０に被せられる上箱とからなる包装箱と、この包装箱に同梱されかつプラズマディスプレイ装置２５の付属品を収納した付属品箱２７とを有し、前記底箱２０の開口端部に、この開口端部に切込みを入れて内側に折り曲げることにより２個の切り起こし片２８ａを設け、この切り起こし片２８ａにより位置規制して付属品箱２７を包装箱の底箱２０に収納したことを特徴とする。【選択図】　図３
2004067157.tif 000002
【特許請求の範囲】
【請求項１】
パネル及びこのパネルの背面側に配置されかつパネルに信号を印加して表示を行う回路ブロックからなる表示ユニットを筐体内に収容して構成したプラズマディスプレイ装置と、このプラズマディスプレイ装置を立てた状態で保持する底箱とこの底箱に被せられる上箱とからなる包装箱と、この包装箱に同梱されかつプラズマディスプレイ装置の付属品を収納した付属品箱とを有し、前記底箱の開口端部に、この開口端部に切込みを入れて内側に折り曲げることにより少なくとも２個の切り起こし片を設け、この切り起こし片により位置規制して付属品箱を包装箱の底箱に収納したことを特徴とするプラズマディスプレイ装置の梱包装置。
【請求項２】
２個の切り起こし片の間に別の切り起こし片を設け、かつ付属品箱に２個の切り起こし片の間に設けた切り起こし片が嵌り合う穴を設けた請求項１に記載のプラズマディスプレイ装置の梱包装置。
【発明の詳細な説明】
【０００１】
【発明の属する技術分野】
本発明は、大画面で、薄型、軽量のディスプレイ装置として知られているプラズマディスプレイ装置の付属品の梱包装置に関するものである。
【０００２】
【従来の技術】
従来、この種のプラズマディスプレイは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイ装置には、大別して、駆動的にはＡＣ型とＤＣ型があり、放電形式では面放電型と対向放電型の２種類があるが、高精細化、大画面化及び製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイ装置は、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
まず、プラズマディスプレイ装置におけるプラズマディスプレイパネルの構造について図４を用いて説明する。図４に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【０００６】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面及びオーバーコート層６の表面に蛍光体層９が設けられている。
【０００７】
これらの基板１と基板５とは、スキャン電極及びサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【０００８】
図５にこのプラズマディスプレイパネルの電極配列を示しており、図５に示すようにスキャン電極及びサステイン電極とアドレス電極とは、Ｍ行×Ｎ列のマトリックス構成であり、行方向にはＭ行のスキャン電極ＳＣＮ１〜ＳＣＮＭ及びサステイン電極ＳＵＳ１〜ＳＵＳＭが配列され、列方向にはＮ列のアドレス電極Ｄ１〜ＤＮが配列されている。
【０００９】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１０】
図６に上記で説明した構造のパネルを組み込んだプラズマディスプレイ装置の全体構成の一例を示している。図において、パネル１０を収容する筐体は、前面枠１１と金属製のバックカバー１２とから構成され、前面枠１１の開口部には光学フィルター及びパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１１】
前記パネル１０は、アルミニウム等からなるシャーシ部材１４の前面に熱伝導シート１５を介して接着することにより保持され、そしてシャーシ部材１４の背面側には、パネル１０を表示駆動させるための複数の回路ブロック１６が取り付けられており、これにより表示ユニットが構成されている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１２】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１３】
【発明が解決しようとする課題】
このような構成のプラズマディスプレイ装置は、大型画面で薄型を最大の特徴としており、そのため梱包状態においても奥行き寸法が小さく、従来のＣＲＴのテレビ、ディスプレイの１／２から１／３程度になっていることが知られている。
【００１４】
そして、この平板形状のプラズマディスプレイ装置を運搬のために梱包した場合、プラズマディスプレイ装置自体が平板形状であるため、梱包後の全体形状も横方向及び縦方向の寸法に比べて奥行きが小さい直方体の形状となる。そのため、付属品を配置するスペースが限られ、その梱包形態が複雑・高価となるという課題がある。
【００１５】
本発明はこのような課題に鑑みなされたもので、プラズマディスプレイ装置の付属品を安価にかつ容易に梱包できるようにすることを目的とするものである。
【００１６】
【課題を解決するための手段】
上記目的を達成するために本発明は、プラズマディスプレイ装置を立てた状態で保持する底箱とこの底箱に被せられる上箱とからなる包装箱と、この包装箱に同梱されかつプラズマディスプレイ装置の付属品を収納した付属品箱とを有し、前記底箱の開口端部に、この開口端部に切込みを入れて内側に折り曲げることにより少なくとも２個の切り起こし片を設け、この切り起こし片により位置規制して付属品箱を包装箱の底箱に収納したものである。
【００１７】
【発明の実施の形態】
すなわち、本発明の請求項１記載の発明は、パネル及びこのパネルの背面側に配置されかつパネルに信号を印加して表示を行う回路ブロックからなる表示ユニットを筐体内に収容して構成したプラズマディスプレイ装置と、このプラズマディスプレイ装置を立てた状態で保持する底箱とこの底箱に被せられる上箱とからなる包装箱と、この包装箱に同梱されかつプラズマディスプレイ装置の付属品を収納した付属品箱とを有し、前記底箱の開口端部に、この開口端部に切込みを入れて内側に折り曲げることにより少なくとも２個の切り起こし片を設け、この切り起こし片により位置規制して付属品箱を包装箱の底箱に収納したことを特徴とする。
【００１８】
また、請求項２に記載の発明は、請求項１において、２個の切り起こし片の間に別の切り起こし片を設け、かつ付属品箱に２個の切り起こし片の間に設けた切り起こし片が嵌り合う穴を設けたものである。
【００１９】
以下、本発明の一実施の形態によるプラズマディスプレイ装置の梱包装置について、図１〜図３を用いて説明する。なお、図１〜図３において、図４〜図６に示す部分と同一部分については同一番号を付している。
【００２０】
図１に本発明の一実施の形態によるプラズマディスプレイ装置の梱包装置の全体構成を示し、図２、図３にその要部構成を示している。図において、プラズマディスプレイ装置を収納する直方体形状の包装箱は、高さ方向の寸法が小さい底箱２０と、この底箱２０の上より被せられる高さ方向の寸法が大きい上箱２１とからなり、底箱２０の底部内面及び上箱２１の上部内面にはそれぞれ緩衝部材２２ａ、２２ｂ、２３ａ、２３ｂが配置され、包装シート２４で覆ったプラズマディスプレイ装置２５がこの緩衝部材２２ａ、２２ｂ、２３ａ、２３ｂにより立てた状態で保持されて包装箱内に収容されている。
【００２１】
また、緩衝部材２２ａは底箱２０のコーナー部に配置され、緩衝部材２２ｂは底箱２０のほぼ中央部に配置され、それぞれプラズマディスプレイ装置２５が嵌り合う凹部２６が設けられている。さらに、緩衝部材２３ａは上箱２１のコーナー部に配置され、緩衝部材２３ｂは上箱２１のほぼ中央部に配置され、それぞれ前記緩衝部材２２ａ、２２ｂと同様、プラズマディスプレイ装置２５が嵌り合う凹部２６が設けられている。
【００２２】
プラズマディスプレイ装置２５の付属品を収納した付属品箱２７は、包装箱に同梱されるもので、図２、図３に示すように、前記底箱２０の開口端部に切込みを入れて内側に折り曲げることにより設けた少なくとも２個（図示のものは２個）の切り起こし片２８ａにより、付属品箱２７の両端面が位置規制されて包装箱の底箱２０に収納されている。さらに、２個の切り起こし片２８ａの間には、別の切り起こし片２８ｂが設けられ、その切り起こし片２８ｂは付属品箱２７に設けた穴２９が嵌り合うことにより、付属品箱２７の上下方向の位置が規制されている。
【００２３】
すなわち、本実施の形態によれば、底箱２０にプラズマディスプレイ装置２５を立てた状態で収納した後、図２に示すように、付属品箱２７を底箱２０のプラズマディスプレイ装置２５の背面側に入れ、そして底箱２０の開口端部に設けた切り起こし片２８ａ、２８ｂをプラズマディスプレイ装置２５側に折り曲げることにより、付属品箱２７の両端面が切り起こし片２８ａにより位置規制されるとともに、切り起こし片２８ｂが付属品箱２７の穴２９に嵌め込まれ、これにより付属品箱２７が底箱２０内に収納される。
【００２４】
このような構成によれば、プラズマディスプレイ装置２５の付属品を別の部材を追加することなく、容易に安価に梱包することができる。
【００２５】
【発明の効果】
以上の説明から明らかなように、本発明によるプラズマディスプレイ装置の梱包装置によれば、包装箱の底箱の開口端部に、この開口端部に切込みを入れて内側に折り曲げることにより少なくとも２個の切り起こし片を設け、この切り起こし片により位置規制して付属品箱を包装箱の底箱に収納したもので、付属品を安価にかつ容易に梱包することができるという効果が得られる。
【図面の簡単な説明】
【図１】本発明の一実施の形態によるプラズマディスプレイ装置の梱包装置の全体構成を示す斜視図
【図２】同装置において、付属品箱を収納するときの要部構成を示す斜視図
【図３】同じく付属品箱を収納した状態を示す斜視図
【図４】プラズマディスプレイ装置のパネルの概略構成を示す斜視図
【図５】プラズマディスプレイ装置のパネルの電極配列を示す説明図
【図６】プラズマディスプレイ装置の内部の配置構造を示す分解斜視図
【符号の説明】
１０　パネル
２０　底箱
２１　上箱
２５　プラズマディスプレイ装置
２７　付属品箱
２８ａ、２８ｂ　切り起こし片
２９　穴
【図１】
2004067157.tif 000003
【図２】
2004067157.tif 000004
【図３】
2004067157.tif 000005
【図４】
2004067157.tif 000006
【図５】
2004067157.tif 000007
【図６】
2004067157.tif 000008